(57)【要約】【構成】飾りリング１８は、上側ケース１６を下側ケースから外し、第３角度範囲Ｒ３に対応する姿勢でリング収納部１６ａに収納することで、上側ケース１６に装着される。リング収納部１６ａおよびリング本体１８ａはいずれも真円形状に形成される。このため、上側ケース１６に装着された飾りリング１８は、第２角度範囲Ｒ２においてリング本体１８ａの周方向に回転できる。飾りリング１８を第１角度範囲Ｒ１に対応する姿勢にすると、第１嵌合機構１８ｄと第２嵌合機構１６ｄとの間で嵌合状態が確立される。これによって、飾りリング１８の上側ケース１２からの離脱が防止される。この状態で上側ケース１６を下側ケースに被せると、飾りリング１８の脚１８ｃが撮像装置の切換レバーと係合する。飾りリング１８を第１角度範囲Ｒ１で周方向に回動させると、切換レバーもまた回動する。これによって、焦点が切り換えられる。【効果】デザインの自由度が向上する。【選択図】図７
2007187858.tif 000002
【特許請求の範囲】
【請求項１】
下側ケース、
前記下側ケースに設けられる撮像装置、
前記下側ケースを覆う上側ケース、および
前記上側ケースに上側から装着される操作リングを備え、
前記撮像装置は、光学像を撮像面に集束させるレンズ、前記レンズの焦点を切り換える切換レバー、および前記切換レバーの上方に形成された第１貫通孔を有し、
前記操作リングは、真円形状のリング本体、前記切換レバーと係合するべく前記リング本体の下面から下方向に突出する脚、および前記リング本体の下面に形成される第１嵌合機構を有し、
前記上側ケースは、前記レンズの中心と前記リング本体の中心とが互いに一致するように前記操作リングを収納する真円形状のリング収納部、および前記リング収納部に形成される第２嵌合機構を有し、
前記リング収納部は前記脚を前記上側ケースの裏側に挿通させる第２貫通孔を有し、
前記第１貫通孔は前記切換レバーと係合状態にある前記脚の前記リング本体の周方向における回動を前記第１角度範囲において許容し、
前記第２貫通孔は前記切換レバーと非係合状態にある前記脚の前記リング本体の周方向における回動を前記第１角度範囲と部分的に重複しかつ前記第１角度範囲よりも広い第２角度範囲において許容し、
前記第１嵌合機構および前記第２嵌合機構は、前記第１角度範囲において嵌合状態を確立し、前記第２角度範囲と部分的に重複しかつ前記第１角度範囲と相違する第３角度範囲において嵌合状態を解除する、カメラ装置。
【請求項２】
前記第１嵌合機構は前記リング本体の径方向外側に対して凹む凹部を有し、
前記第２嵌合機構は前記リング収納部の径方向内側に突出する凸部を有する、請求項１記載のカメラ装置。
【請求項３】
前記リング収納部は前記レンズの中心と一致する中心を有する第３貫通孔をさらに有する、請求項１または２記載のカメラ装置。
【請求項４】
前記第１角度範囲において前記脚と接触する突起が形成された一方主面を有する板バネをさらに備える、請求項１ないし３のいずれかに記載のカメラ装置。
【請求項５】
前記板バネは前記上側ケースの裏側に設けられる、請求項４記載のカメラ装置。
【請求項６】
前記脚は外側面に形成された線状凸部を有し、前記突起は前記線状凸部と接触する、請求項４または５記載のカメラ装置。
【請求項７】
請求項１ないし５のいずれかに記載のカメラ装置を備える、携帯通信端末。
【発明の詳細な説明】
【技術分野】
【０００１】
この発明は、カメラ装置に関し、特にたとえば携帯通信端末に適用され、貫通孔が形成されたケースの裏側に配置される撮像装置と、ケースの表側に配置される焦点切換機構とを有する、カメラ装置に関する。
【背景技術】
【０００２】
従来のこの種の装置の一例が、特許文献１に開示されている。この従来技術によれば、レンズが取り付けられたマクロ繰出し環の外周にネジ山が形成される一方、ホルダの内周にネジ溝が形成される。マクロ繰出し環は、ネジ山とネジ溝との螺合によってホルダに装着される。
【０００３】
キャビネットのリング収納部には飾りリングが収納され、この飾りリングは飾りカバーによって部分的に覆われる。これによって、飾りリングがリング収納部に保持される。マクロ繰出し環は、レンズ回転レバーを介して、この飾りリングと連結される。飾りリングつまりマクロ繰出し環を回転させるとレンズが上下し、これによって撮影モードが通常撮影モードと接写撮像モードとの間で切り換えられる。
【特許文献１】特開２００４−１６３８３０号公報［G02B 7/105, 7/08, G03B 3/02, 13/32, 17/02］
【発明の開示】
【発明が解決しようとする課題】
【０００４】
しかし、従来技術では、飾りリングをリング収納部に保持するために飾りカバーをキャビネットの表面に装着する必要があり、デザインの自由度が制限されるという問題がある。
【０００５】
それゆえに、この発明の主たる目的は、デザインの自由度を高めることができる、カメラ装置を提供することである。
【課題を解決するための手段】
【０００６】
請求項１の発明に従うカメラ装置(10)は、下側ケース(12)、下側ケース(12)に設けられる撮像装置(14)、下側ケース(12)を覆う上側ケース(16)、および上側ケース(16)に上側から装着される操作リング(18)を備え、撮像装置(14)は、光学像を撮像面に集束させるレンズ(14c)、レンズ(14c)の焦点を切り換える切換レバー(14a)、および切換レバー(14a)の上方に形成された第１貫通孔(14b)を有し、操作リング(18)は、真円形状のリング本体(18a)、切換レバー(14a)と係合するべくリング本体(18a)の下面から下方向に突出する脚(18c)、およびリング本体(18a)の下面に形成される第１嵌合機構(18d)を有し、上側ケース(16)は、レンズ(14c)の中心とリング本体(18a)の中心とが互いに一致するように操作リング(18)を収納する真円形状のリング収納部(16a)、およびリング収納部(16a)に形成される第２嵌合機構(16d)を有し、リング収納部(16a)は脚(18c)を上側ケース(16)の裏側に挿通させる第２貫通孔(16f)を有し、第１貫通孔(14b)は切換レバー(14a)と係合状態にある脚(18c)のリング本体(18a)の周方向における回動を第１角度範囲において許容し、第２貫通孔(16f)は切換レバー(14a)と非係合状態にある脚(18c)のリング本体(18a)の周方向における回動を第１角度範囲と部分的に重複しかつ第１角度範囲よりも広い第２角度範囲において許容し、第１嵌合機構(18d)および第２嵌合機構(16d)は、第１角度範囲において嵌合状態を確立し、第２角度範囲と部分的に重複しかつ第１角度範囲と相違する第３角度範囲において嵌合状態を解除する。
【０００７】
撮像装置(14)は、下側ケース(12)に設けられる。下側ケース(12)は、上側ケース(16)によって覆われる。操作リング(18)は、上側ケース(16)に上側から装着される。
【０００８】
撮像装置(14)は、レンズ(14c)，切換レバー(14a)および第１貫通孔(14b)を有する。レンズ(14c)は光学像を撮像面に集束させるものであり、切換レバー(14a)はレンズ(14c)の焦点を切り換えるものである。第１貫通孔(14b)は、切換レバー(14a)の上方に形成される。
【０００９】
操作リング(18)は、リング本体(18a)，脚(18c)および第１嵌合機構(18d)を有する。リング本体(18a)は、真円形状を有する。脚(18c)は、切換レバー(14a)と係合するべく、リング本体(18a)の下面から下方向に突出する。第１嵌合機構(18d)は、リング本体(18a)の下面に形成される。
【００１０】
上側ケース(16)は、真円形状のリング収納部(16a)と第２嵌合機構(16d)とを有する。リング収納部(16a)は、レンズ(14c)の中心とリング本体(18a)の中心とが互いに一致するように、操作リング(18)を収納する。第２嵌合機構(16d)は、リング収納部(16a)に形成される。さらに、リング収納部(16a)は、脚(18c)を上側ケース(16)の裏側に挿通させる第２貫通孔(16f)を有する。
【００１１】
第１貫通孔(14b)は、切換レバー(14a)と係合状態にある脚(18c)のリング本体(18a)の周方向における回動を第１角度範囲において許容する。また、第２貫通孔(16f)は、切換レバー(14a)と非係合状態にある脚(18c)のリング本体(18a)の周方向における回動を、第１角度範囲と部分的に重複しかつ第１角度範囲よりも広い第２角度範囲において許容する。
【００１２】
第１嵌合機構(18d)および第２嵌合機構(16d)は、第１角度範囲において嵌合状態を確立し、第１角度範囲と部分的に重複しかつ第２角度範囲と相違する第３角度範囲において嵌合状態を解除する。
【００１３】
したがって、操作リング(18)は、上側ケース(16)を下側ケース(12)から外し、第３角度範囲に対応する姿勢でリング収納部(16a)に収納することで、上側ケース(16)に装着される。リング収納部(16a)およびリング本体(18a)はいずれも真円形状に形成されるため、上側ケース(16)に装着された操作リング(18)は、リング本体(18a)の周方向に回転できる。操作リング(18)を第１角度範囲に対応する姿勢にすると、第１嵌合機構(18d)と第２嵌合機構(16d)との間で嵌合状態が確立される。これによって、操作リング(18)の上側ケース(12)からの離脱が防止される。
【００１４】
この状態で上側ケース(16)を下側ケース(12)に被せると、操作リング(18)の脚(18c)が撮像装置(14)の切換レバー(14a)と係合する。操作リング(18)を第１角度範囲で周方向に回動させると、切換レバー(14a)もまた回動する。これによって、焦点が切り換えられる。
【００１５】
操作リング(18)は上述の要領で上側ケース(16)に装着されるため、操作リング(18)を上側から覆うカバーを設ける必要がない。これによって、デザインの自由度が向上する。
【００１６】
請求項２の発明に従うカメラ装置(10)は、請求項１に従属し、第１嵌合機構(18d)はリング本体(18a)の径方向外側に対して凹む凹部(18g, 18h)を有し、第２嵌合機構(16d)はリング収納部(16a)の径方向内側に突出する凸部(16b, 16c)を有する。第１嵌合機構(18d)と第２嵌合機構(16d)との嵌合状態は、凹部と凸部とによって確立される。
【００１７】
請求項３の発明に従うカメラ装置(10)は、請求項１または２に従属し、リング収納部(16a)はレンズ(14c)の中心と一致する中心を有する第３貫通孔(16e)をさらに有する。
【００１８】
請求項４の発明に従うカメラ装置(10)は、請求項１ないし３のいずれかに従属し、第１角度範囲において脚(18c)と接触する突起(16j)が形成された一方主面を有する板バネ(16i)をさらに備える。これによって、焦点を切り換えるときにクリック感が発生する。
【００１９】
請求項５の発明に従うカメラ装置(10)は、請求項４に従属し、板バネ(16i)は上側ケース(16)の裏側に設けられる。これによって、操作リング(18)が装着された上側ケース(16)を下側ケース(12)に装着するときの作業の効率性が向上する。
【００２０】
請求項６の発明に従うカメラ装置(10)は、請求項４または５に従属し、脚(18c)は外側面に形成された線状凸部(18q)を有し、突起(16j)は線状凸部(18q)と接触する。
【発明の効果】
【００２１】
この発明によれば、操作リング(18)を上側から覆うカバーを設ける必要がないため、デザインの自由度が向上する。
【００２２】
この発明の上述の目的，その他の目的，特徴および利点は、図面を参照して行う以下の実施例の詳細な説明から一層明らかとなろう。
【発明を実施するための最良の形態】
【００２３】
この実施例のカメラ付き携帯通信端末１０を形成する上側筐体の分解状態を、図１に示す。上側筐体は、下側ケース１２，撮像装置１４，上側ケース１６および飾りリング１８を備える。撮像装置１４は、下側ケース１２の長さ方向一方端近傍に、レンズ１４ｃ（図２参照）を上側にした状態で設けられる。飾りリング１８は、上側ケース１６の長さ方向一方端に形成されたリング収納部１６ａ（図５（Ａ）参照）に、上側から装着される。
【００２４】
図２を参照して、撮像装置１４は、切換レバー１４ａ，貫通孔１４ｂおよびレンズ１４ｃを有する。被写界の光学像は、レンズ１４ｃによって撮像面（図示せず）に集束される。切換レバー１４ａは、レンズ１４ｃの径方向に伸び、レンズ１４ｃの周方向に可動とされる。貫通孔１４ｂは、切換レバー１４ａの上方に形成される。
【００２５】
レンズ１４ｃは切換レバー１４ａの回動に従って光軸方向に移動し、これによって焦点が切り換えられる。切換レバー１４ａを時計回り方向に回動させると、焦点はマクロモードに設定される。切換レバー１４ａを反時計回り方向に回動させると、焦点は通常モードに設定される。
【００２６】
図３（Ａ）〜図３（Ｂ）および図４（Ａ）〜図４（Ｂ）を参照して、飾りリング１８は、真円形状のリング本体１８ａを有する。リング本体１８ａの上面には操作用の爪１８ｂが形成され、リング本体１８ａの下面には下方向に突出する脚１８ｃが形成される。脚１８ｃは、下端部に形成された係合片１８ｋおよび１８ｍを有する。係合片１８ｋは脚１８ｃの幅方向一方端から下方向に突出し、係合片１８ｍは脚１８ｃの幅方向他方端から下方向に突出する。また、脚１８ｃの外側面には、矩形状の凹部１８ｎおよび１８ｐが形成される。この結果、上下方向に伸びる線状の凸部１８ｑが、脚１８ｃの外側面に現れる。リング本体１８ａの下面にはまた、飾りリング１８をリング収納部１６ａに装着するための第１嵌合機構１８ｄが形成される。
【００２７】
図４（Ｂ）から分かるように、第１嵌合機構１８ｄは、周方向断面がＬ字状に形成された２つの爪１８ｅおよび１８ｆを有する。爪１８ｅおよび１８ｆのいずれも、リング本体１８ａの下面から下方向に突出し、リング本体１８ａの径方向外側に屈曲する。この結果、リング本体１８ａの径方向外側に対向して凹む凹部１８ｇがリング本体１８ａの下面と爪１８ｅとによって形成され、リング本体１８ａの径方向外側に対向して凹む凹部１８ｈがリング本体１８ａの下面と爪１８ｆとによって形成される。なお、凹部１８ｇおよび１８ｈは、上下方向において互いに同じ高さを有する。
【００２８】
図４（Ａ）に示すように、爪１８ｅの周方向の長さは角度θ１に相当し、爪１８ｆの周方向の長さは角度θ２に相当する。また、脚１８ｃの幅は、角度θ３に相当する。脚１８ｃと爪１８ｅとの間には、リング収納部１６ａの内壁に形成された爪１６ｂ（図５（Ａ）参照）を引き込むための引き込み部１８ｉが形成される。爪１８ｅおよび１８ｆの間には、リング収納部１６ａの内壁に形成された爪１６ｃ（図５（Ａ）参照）を引き込むための引き込み部１８ｊが形成される。引き込み部１８ｉの周方向の長さは角度θ４に相当し、引き込み部１８ｊの周方向の長さは角度θ５に相当する。また、脚１８ｃの引き込み部１８ｉ側端部と爪１８ｆの引き込み部１８ｊ側端部との間の角度は、“θ６”である。
【００２９】
図５（Ａ）〜図５（Ｂ）および図６（Ａ）〜図６（Ｂ）を参照して、リング収納部１６ａの内壁は真円状に形成され、この内壁の径はリング本体１８ａの外径とほぼ一致する。リング収納部１６ａの中央には、レンズ１４ｃの中心と一致する中心を有する真円形状の貫通孔１６ｅが形成される。また、貫通孔１６ｅの近傍には、貫通孔１６ｅに沿って湾曲した短冊状の貫通孔１６ｆ，１６ｇおよび１６ｈが形成される。
【００３０】
貫通孔１６ｆの貫通孔１６ｇ側端部と貫通孔１６ｈの貫通孔１６ｆ側端部との間の角度は“θ７”である。また、貫通孔１６ｇの周方向の長さは角度θ８に相当し、そして貫通孔１６ｈの周方向の長さは角度θ９に相当する。角度θ７，θ８およびθ９はそれぞれ図４（Ａ）に示す角度θ４，θ５およびθ６とほぼ一致し、かつ角度θ７，θ８およびθ９の割り当て位置の関係は角度θ４，θ５およびθ６の割り当て位置の関係とほぼ一致する。
【００３１】
上側ケース１６を上側から眺めて、貫通孔１６ｇの上には爪１６ｂが設けられ、貫通孔１６ｈの上には爪１６ｃが設けられる。爪１６ｂの厚みおよび爪１６ｃの厚みは互いに等しく、かつこの厚みは図４（Ｂ）に示す凹部１８ｇおよび１８ｈの各々の高さとほぼ一致する。かかる爪１６ｂおよび１６ｃによって、第２嵌合機構１６ｄが形成される。
【００３２】
図５（Ｂ）および図６（Ｂ）から分かるように、上側ケース１６ｂの裏側には、長さ方向中央に突起１６ｊが形成された板バネ１６ｉが配置される。配置された板バネ１６ｉの幅方向は上側ケース１６の上下方向と一致し、突起１６ｊは貫通孔１６ｅの中心に向かって突出する。上側ケース１６ｂの裏側を真上から眺めれば分かるように、突起１６ｊは貫通孔１６ｆの爪１６ｃ側端部近傍において、貫通孔１６ｆの上にせり出す。
【００３３】
図７（Ａ）〜図７（Ｄ）を参照して、飾りリング１８は、引き込み部１８ｉおよび１８ｊが爪１６ｂおよび１６ｃをそれぞれ覆う位置関係を保った状態で、上側ケース１６の上側からリング収納部１６ａに挿入される。脚１８ｃは貫通孔１６ｆを経て上側ケース１６の裏側に達し、爪１６ｂおよび１６ｃはそれぞれ引き込み部１８ｉおよび１８ｊに接触する。リング収納部１６ａに収納されたリング本体１８ａを上側ケース１６の裏側から眺めて時計回り方向に回転させると、第１嵌合機構１８ｄを形成する凹部１８ｅおよび１８ｆがそれぞれ、第２嵌合機構１６ｄを形成する爪１６ｂおよび１６ｃと嵌合する。
【００３４】
つまり、飾りリング１８は、脚１８ｃを第３角度範囲Ｒ３に合わせた状態で、リング収納部１６ａに収納される。収納状態にあるとき、脚１８ｃは第２角度範囲Ｒ２において回動できる。さらに、第１嵌合機構１８ｄおよび第２嵌合機構１６ｄは、脚１８ｃが第１角度範囲Ｒ１に位置するときに嵌合状態を確立する。なお、第１角度範囲Ｒ１は、図２に示す貫通孔１４ｂの周方向における広さに対応する。
【００３５】
飾りリング１８は、リング収納部１６ａに収納された後、図８（Ａ）〜図８（Ｄ）に示す要領で変位する。爪１８ｂがマクロモードを示すマークＭ１に合わせられたとき、脚１８ｃは、上側ケース１６を裏側から眺めて、突起１６ｊよりも反時計回り方向側に位置する。また、爪１８ｂが通常モードを示すマークＭ２に合わせられたとき、脚１８ｃは、上側ケース１６を裏側から眺めて、突起１６ｊよりも時計回り方向側に位置する。
【００３６】
爪１８ｂをマークＭ１およびＭ２の間で遷移させるとき、脚１８ｃの外側面に形成された線状の凸部１８ｑが突起１６ｊと接触する。突起１６ｊは貫通孔１６ｅの径方向外側に変位し、板バネ１６ｉは弾性力によって湾曲する。凸部１８ｑが突起１６ｊを乗り越えると、突起１６ｊは板バネ１６ｉの復元力によって元の位置に戻る。この結果、モード遷移時にクリック感が生じる。
【００３７】
爪１８ｂをマークＭ１に合わせた状態で上側ケース１６を下側ケース１６に装着すると、図２に示す切換レバー１４ａが、図３（Ａ）に示す係合片１８ｋおよび１８ｍによって挟持される。係合片１８ｋおよび１８ｍは切換レバー１４ａをレンズ１４ｃの周方向において挟持し、これによって切換レバー１４ａと脚１８ｃとの係合状態が確立される。
【００３８】
したがって、爪１８ｂをマークＭ１およびＭ２の間で遷移させると、切換レバー１４ａがレンズ１４ｃの周方向に回動し、レンズ１４ｃが光軸方向に遷移する。レンズ１４ｃの焦点は、マークＭ１に対応してマクロモードに設定され、マークＭ２に対応して通常モードに設定される。なお、切換レバー１４ａの可動範囲は、貫通孔１４ｂの周方向における広さと係合片１８ｋおよび１８ｍの各々の周方向における厚みとによって規定される。
【００３９】
以上の説明から分かるように、撮像装置１４は、下側ケース１２に設けられる。下側ケース１２は、上側ケース１６によって覆われる。飾りリング１８は、上側ケース１６に上側から装着される。
【００４０】
撮像装置１４は、レンズ１４ｃ，切換レバー１４ａおよび貫通孔１４ｂを有する。レンズ１４ｃは光学像を撮像面に集束させるものであり、切換レバー１４ａはレンズ１４ｃの焦点を切り換えるものである。貫通孔１４ｂは、切換レバー１４ａの上方に形成される。
【００４１】
飾りリング１８は、リング本体１８ａ，脚１８ｃおよび第１嵌合機構１８ｄを有する。リング本体１８ａは、真円形状を有する。脚１８ｃは、切換レバー１４ａと係合するべく、リング本体１８ａの下面から下方向に突出する。第１嵌合機構１８ｄは、リング本体１８ａの下面に形成される。
【００４２】
上側ケース１６は、真円形状のリング収納部１６ａと第２嵌合機構１６ｄとを有する。リング収納部１６ａは、レンズ１４ｃの中心とリング本体１８ａの中心とが互いに一致するように、操作リング１８を収納する。第２嵌合機構１６ｄは、リング収納部１６ａに形成される。さらに、リング収納部１６ａは、脚１８ｃを上側ケース１６の裏側に挿通させる貫通孔１６ｆを有する。
【００４３】
貫通孔１４ｂは、切換レバー１４ａと係合状態にある脚１８ｃのリング本体１８ａの周方向における回動を第１角度範囲Ｒ１において許容する。また、貫通孔１６ｆは、切換レバー１４ａと非係合状態にある脚１８ｃのリング本体１８ａの周方向における回動を、第１角度範囲Ｒ１と部分的に重複しかつ第１角度範囲よりも広い第２角度範囲Ｒ２において許容する。
【００４４】
第１嵌合機構１８ｄおよび第２嵌合機構１６ｄは、第１角度範囲Ｒ１において嵌合状態を確立し、第２角度範囲Ｒ２と部分的に重複しかつ第１角度範囲Ｒ１と相違する第３角度範囲Ｒ３において嵌合状態を解除する。
【００４５】
したがって、飾りリング１８は、上側ケース１６を下側ケース１２から外し、第３角度範囲Ｒ３に対応する姿勢でリング収納部１６ａに収納することで、上側ケース１６に装着される。リング収納部１６ａおよびリング本体１８ａはいずれも真円形状に形成されるため、上側ケース１６に装着された飾りリング１８は、リング本体１８ａの周方向に回転できる。飾りリング１８を第１角度範囲Ｒ１に対応する姿勢にすると、第１嵌合機構１８ｄと第２嵌合機構１６ｄとの間で嵌合状態が確立される。これによって、飾りリング１８の上側ケース１２からの離脱が防止される。
【００４６】
この状態で上側ケース１６を下側ケース１２に被せると、飾りリング１８の脚１８ｃが撮像装置１４の切換レバー１４ａと係合する。飾りリング１８を第１角度範囲Ｒ１で周方向に回動させると、切換レバー１４ａもまた回動する。これによって、焦点が切り換えられる。
【００４７】
飾りリング１８は上述の要領で上側ケース１６に装着されるため、飾りリング１８を上側から覆うカバーを設ける必要がない。これによって、デザインの自由度が向上する。また、クリック感を生じさせるための突起１６ｊが形成された板バネ１６ｉが上側ケース１６の裏側に設けられるため、飾りリング１８が装着された上側ケース１６を下側ケース１２に装着するときの作業の効率性が向上する。
【図面の簡単な説明】
【００４８】
【図１】この実施例のカメラ付き携帯電話機の一部を示す分解斜視図である。
【図２】図１実施例に適用される撮像装置を示す部分斜視図である。
【図３】（Ａ）は図１実施例に適用される飾りリングを示す上側斜視図であり、（Ｂ）は図１実施例に適用される飾りリングを示す下側斜視図である。
【図４】（Ａ）は図１実施例に適用される飾りリングを示す下面図であり、（Ｃ）は図１実施例に適用される飾りリングを示す側面図である。
【図５】（Ａ）は図１実施例に適用される上側ケースを示す上側斜視図であり、（Ｂ）は図１実施例に適用される上側ケースを示す下側斜視図である。
【図６】（Ａ）は図１実施例に適用される上側ケースの一部を示す上面図であり、（Ｂ）は図１実施例に適用される上側ケースの一部を示す下面図である。
【図７】（Ａ）は上側ケースに飾りリングを装着する前の状態を示す上側斜視図であり、（Ｂ）は上側ケースに飾りリングを装着する前の状態を示す下側斜視図であり、（Ｃ）は上側ケースに飾りリングを装着した後の状態を示す上側斜視図であり、（Ｄ）は上側ケースに飾りリングを装着した後の状態を示す下側斜視図である。
【図８】（Ａ）は飾りリングをマクロモードに設定した状態を示す上面図であり、（Ｂ）は飾りリングをマクロモードに設定した状態を示す下面図であり、（Ｃ）は飾りリングを通常モードに設定した状態を示す上面図であり、（Ｄ）は飾りリングを通常モードに設定した状態を示す下面図である。
【符号の説明】
【００４９】
１０  …カメラ付き携帯通信端末
１２  …下側ケース
１４  …撮像装置
１４ａ  …切換レバー
１４ｂ  …規制部材
１４ｃ  …レンズ
１６  …上側ケース
１６ａ  …レンズ収納部
１６ｄ  …第２嵌合機構
１６ｅ〜１６ｈ  …貫通孔
１６ｉ  …板バネ
１６ｊ  …突起
１８  …飾りリング
１８ａ  …リング本体
１８ｃ  …脚
１８ｄ  …第１嵌合機構
【図１】
2007187858.tif 000003
【図２】
2007187858.tif 000004
【図３】
2007187858.tif 000005
【図４】
2007187858.tif 000006
【図５】
2007187858.tif 000007
【図６】
2007187858.tif 000008
【図７】
2007187858.tif 000009
【図８】
2007187858.tif 000010